(57)【要約】      （修正有）【課題】誰でも簡単に、カーラーに巻き付ける為にまとめた髪束が重なり合う事無く一様に巻き付ける事ができ、また巻き付けた毛髪のカーラーに巻きつける角度を一定に保つことができ、頭の上下方向である縦方向に均一な巻き幅、曲率、角度のカールを形成することのできるヘアカーラーを提供する。【解決手段】棒状の芯体１の側面に長手方向に伸びる螺旋羽根７を取り付けて、側面に螺旋状の毛髪巻き付け溝が形成されている。芯体１は巻き付け溝に巻き付けられた毛髪を固定する伸縮可能な紐体であるゴム体９が取り付け可能に構成されている。【選択図】図１
0003187703.tif 000002
【実用新案登録請求の範囲】
【請求項１】
棒状の芯体の側面に長手方向に伸びる螺旋羽根を取り付けて前記側面に毛髪巻き付け溝が形成され、前記芯体は前記巻き付け溝に巻き付けられた毛髪を固定する伸縮可能な紐体が取り付け可能に構成されていることを特徴とするヘアカーラー。
【請求項２】
請求項１記載のヘアカーラーにおいて、前記芯体の少なくとも一方の端部に前記紐体は嵌入して固定される切込みを形成したことを特徴とするヘアカーラー。
【請求項３】
請求項１または請求項２のいずれか記載のヘアカーラーにおいて、前記芯体の一方の端部近傍の外周に毛髪先端部が固定される毛髪留め体が設けられていることを特徴とするヘアカーラー。
【請求項４】
請求項１乃至請求項３のいずれか１つに記載されたヘアカーラーにおいて、前記芯体は筒体で形成され、前記側面には螺旋状の隙間が形成されていることを特徴とするヘアカーラー。
【考案の詳細な説明】
【技術分野】
【０００１】  本考案は、毛髪にカールを形成するためのヘアカーラーに関する。
【背景技術】
【０００２】  特開２００１−２７５７３６号公報には、円筒状芯体と外周に配置される毛髪巻き体との間に金属体が装着されてなるヘアカーラーが記載されている。また、特開２００６−１４１７５３号公報には、特開２００１−２７５７３６号公報に記載されたヘアカーラーを改良した、９ｃｍ〜１３ｃｍの長さで両端に張り出し部を形成して円筒状芯体の外周に毛髪巻き体が設けられてなるヘアカーラーが記載されている。さらには特開２００７−３３０５１７号公報には、柔軟性を有する円柱状の弾性体の外周部に毛髪の挿入口の螺旋状スリットを形成し、螺旋状スリットの内側に毛髪の収容部である螺旋状空間を形成してなるヘアカーラーが記載されている。
【先行技術文献】
【特許文献】
【０００３】
【特許文献１】特開２００１−２７５７３６号公報
【特許文献２】特開２００６−１４１７５３号公報
【特許文献３】特開２００７−３３０５１７号公報
【考案の概要】
【考案が解決しようとする課題】
【０００４】  特許文献１の特開２００１−２７５７３６号公報に記載されたヘアカーラーは、長い髪を巻いて使用する場合、希望する毛髪の一部分しかカーラーに巻けない事があり、また所望する全ての毛髪をカーラーに巻きつけようとすると、毛髪の上に毛髪が重なり、その為内側の毛髪と外側の毛髪では巻きつけた髪が形成する径が異なり、出来上がったカールの形が一様にならないと言う欠点を有している。また、カーラーを頭頂から下の方に向けて使用することで形成されるカールを形成する為には適していなかった。【０００５】  また、特許文献２の特開２００６−１４１７５３号公報、及び特許文献３の特開２００７−３３０５１７号公報に記載されたヘアカーラーは、縦にカールすることに特化したヘアカーラーであるが、次のような欠点がある。すなわち、特開２００６−１４１７５３号公報に記載されたヘアカーラーは、カーラー本体の幅を広くすることにより、長い髪の場合でも巻き付ける事が可能になったが、巻きつけた髪が重なることにより、均一にならないことがあり、またカールに巻きつける髪の角度を一様にするには慣れが必要であり、長い髪を縦方向に巻いた場合、保持する力が弱い為、ワゴムもしくはピンを用意する必要がある。また。特開２００７−３３０５１７号公報に記載されたヘアカーラーは、髪を円柱状の弾性体からなる本体の外周部の螺旋状のスリットに毛髪を入れ込む必要がある為、摩擦により髪を痛める可能性があり、髪の巻いている状態が見えないので、均一に巻けているかどうか分かりにくい。【０００６】  そこで、本考案は、誰でも簡単に、カーラーに巻き付ける為にまとめた髪束が重なり合う事無く一様に巻き付ける事ができ、また巻き付けた毛髪のカーラーに巻きつける角度を一定に保つことができ、頭の上下方向である縦方向に均一な巻き幅、曲率、角度のカールを形成することのできるヘアカーラーを提供することを目的としてなされた。
【課題を解決する為の手段】
【０００７】  本考案は、上記目的を達成させるため、（１）棒状の芯体の側面に長手方向に伸びる螺旋羽根を取り付けて前記側面に螺旋状の毛髪巻き付け溝が形成され、前記芯体は前記巻き付け溝に巻き付けられた毛髪を固定する伸縮可能な紐体が取り付け可能に構成されているヘアカーラーを提供している。
【０００８】  また本考案は、（２）上記（１）記載のヘアカーラーにおいて、前記芯体の少なくとも一方の端部に前記紐体は嵌入して固定される切込みを形成したことを特徴とするヘアカーラー、あるいは（３）上記（１）または（２）のいずれか記載のヘアカーラーにおいて、前記芯体の一方の端部近傍の外周に毛髪先端部が固定される毛髪留め体が設けられていることを特徴とするヘアカーラー、さらには、（４）上記（１）乃至（３）のいずれか１つに記載されたヘアカーラーにおいて、前記芯体の前記側面には螺旋状の隙間が形成されていることを特徴とするヘアカーラーを提供している。
【０００９】
【考案の効果】
【００１０】  本考案のヘアカーラーによれば、棒状芯体の側面に取り付けられた螺旋羽根に沿って毛髪を先端部から巻きつけた後、輪状のゴム等で固定すれば、ドライヤーをあてるだけで、毛髪に所定の曲率のカールをつけることができる。また左右用の一対のヘアカーラーを使えば、同じ操作で毛髪にカールをつけることができるので、極めて簡単に左右の毛髪にカールを付与することができる。
【００１１】  また、毛髪の先端部にワンタッチテープを取り付けているので、巻き始めの髪の先端部を留めることができるため、髪を円筒部に巻きつけていくときに、巻きつけた位置からずれることが無く、ずれたことによるやり直しを発生させること無く、容易に操作を行なうことができる。
【００１２】
【図面の簡単な説明】
【００１３】
【図１】本考案の実施例の正面図
【図２】図１の平面図
【図３】側面図
【図４】使用方法説明図
【考案を実施する為の形態】
【００１４】  以下本考案を、図１乃至図３に示す１実施例に基づいて具体的に説明する。図１乃至図３において、左側側頭部の毛髪をカーラーするため棒状の芯体である合成樹脂製の円筒状の芯体１は、円環状の端部である一対の持ち手部２、３とを長手方向に伸びる４本の合成樹脂製の支柱４とで連結し、支柱４どうしを螺旋状の隙間５を保持して梁体６で連結し側面を形成して構成されたものである。持ち部２、３との間の芯体１の側面には、側面に対し垂直に径方向に伸びる合成樹脂製の螺旋羽根７が設けられて毛髪巻き付け溝が形成されている。螺旋羽根７の端部側の一方の持ち手部３の該表面には表面に多数の細かいフック状の毛髪係止体をネットに密生させてなる髪留体８が固着され、髪留体８のさらに端部側の持ち手部３には伸縮可能な紐体であるゴム体９が固定されている。他方の持ち手部２の端部には、底部が丸みをおびてゴム体９を傷つけずに嵌入させる切込み１０が形成されている。
【００１５】  本実施例のヘアカーラーの具体的な大きさは、次の通りである。
即ち、芯体１は、長さが１３ｃｍ、直径が２ｃｍであり、手持ち部２の長さは０．７ｃｍ、手持ち部３の長さは２．８ｃｍで厚みは両方共に１．５ｃｍである。梁体６の幅は２ｍｍ〜４ｍｍ、隙間５は２ｍｍ〜４ｍｍである。切込み１０の幅は３ｍｍ、深さは５ｍｍとなっている。
【００１６】  続いて下から上に向かって毛髪巻き付け溝が形成された本実施例のヘアカーラーを用いて左側頭部の毛髪に下から上に向かって左巻きのカーラーを形成する場合のやり方について図４（ａ）〜（ｃ）を用いて説明する。図４（ａ）において、ゴム体９が取り付けられている持ち手部３が下側に来るよう芯体１を手で持ち、左側頭部の頭髪の先端を髪留体８の外周に巻き付け固着させる。続いて図４（ｂ）に示すように、その後、芯体１を回転させて、毛髪を螺旋状の毛髪巻き付け溝内にセットし、ゴム体９を切込み１０内に嵌入させて毛髪を芯体１に固定させる。さらにこの状態で、図４（ｃ）に示すように、ドライヤー等で熱風を毛髪に当てることで毛髪にカールをつける。
【００１７】本実施例のヘアカーラーによれば、毛髪に所定の曲率のカールをつけることができる。また螺旋羽根７の巻き方向が左右逆となった左右用の一対のヘアカーラーを使えば、同じ操作で毛髪にカールをつけることができるので、極めて簡単に左右の側頭部の毛髪にカールを付与することができる。また、毛髪の先端部に髪留体８に、巻き始めの髪の先端部を留めることができ、毛髪巻き付け溝内に髪を円筒部に巻きつけていくので、巻きつけた位置がずれることが無く常に一定位置に巻き付けられることにより、やり直しを発生させること無く、常に一定の曲率のカールつけることができる。さらには、隙間５を備えているので、ドライヤーで熱風を送った際、熱風が隙間を通って流れるので、カールの形成がしやすい。
【００１８】  以上本考案を一実施例に基づいて具体的に説明したが、本考案はこの実施例だけに限定されるものではなく、芯体１等の大きさは、上記数値、だけに限定されるものではなく、また材質も合成樹脂に限定されず、木製、金属製、セラミック製等のものでもよい。また、本実施例は棒状の芯体として円筒状のもので説明したが、多角形のものでもよく、さらには内部に空間を持たないものでも良い。また、螺旋羽根は実施例では、下から上まで連続したものであるが、螺旋羽根の途中を切って、複数個の羽根を配置したものでも良い。さらにまた螺旋羽根で形成される螺旋状の毛髪巻き付け溝の溝幅は一定のもの、毛髪先端が巻き付けられる方から漸次広くなったものでもよい。さらにゴム体９は芯体１に取り付けられたものではなく、輪ゴムのような別体とし、芯体１の両端に切込み１０を設けたものでもよい。要は、本考案は、課題を解決する為の手段に記載された要旨を逸脱しなければどんなものでもよい。
【符号の説明】
【００１９】  １：芯体
２：持ち手部
３：持ち手部
４：支柱
５：隙間
６：梁体
７：螺旋羽根
８：髪留体
９：ゴム体
１０：切込み
【図１】
0003187703.tif 000003
【図２】
0003187703.tif 000004
【図３】
0003187703.tif 000005
【図４】
0003187703.tif 000006